(57)【要約】【課題】ハンディスキャナの使い勝手を向上させ、ハンディスキャナと無線通信する装置の設置自由度を高める。【解決手段】読取対象となるシンボルを光学的に読み取る読取部４１、読取部４１を収納するヘッド部３、ヘッド部３と連設され、ユーザによって把持される把持部２、読取部４１の読取結果を含む読取データを無線により外部に送信する第一通信部、及び、読取部４１並びに第一通信部に駆動電力を供給するためのバッテリ部５、を有するハンディスキャナ１と、ハンディスキャナ１と脱着可能に接続され、外部電源に接続される電力線を介してバッテリ部５を充電する充電ユニット１０１と、充電ユニット１０１とは別筐体で構成され、第一通信部から送信された読取部４１の読取データを受信する第二通信部、及び、第二通信部で受信した読取データを外部機器に送信する第三通信部を有する無線通信ユニット６０１とを備える。【選択図】図６
2017091334.tif 000002
【特許請求の範囲】
【請求項１】
読取対象となるシンボルを光学的に読み取る読取部、該読取部を収納するヘッド部、該ヘッド部と連設され、ユーザによって把持される把持部、前記読取部の読取結果を含む読取データを無線により外部に送信する第一通信部、及び、前記読取部並びに第一通信部に駆動電力を供給するためのバッテリ部、を有する携帯型光学読取装置と、
前記携帯型光学読取装置と脱着可能に接続され、外部電源に接続される電力線を介して前記バッテリ部を充電する充電ユニットと、
前記充電ユニットとは別筐体で構成され、前記第一通信部から送信された前記読取部の読取データを受信する第二通信部、及び、該第二通信部で受信した読取データを外部機器に送信する第三通信部を有する無線通信ユニットと、
を備える光学読取システム。
【請求項２】
請求項１に記載の光学読取システムであって、
前記携帯型光学読取装置において、前記第一通信部が送信する読取データは、外部のホストを制御するための制御信号データを含み、
前記無線通信ユニットは、さらに、
前記ホストに前記制御信号データを出力するための出力端子を備える光学読取システム。
【請求項３】
請求項２に記載の光学読取システムであって、
前記制御信号データは、読取を完了したか否かがＯＮまたはＯＦＦに対応付けられた読取完了情報を含み、
前記ホストは、前記出力端子を介して受信した制御信号データの読取完了情報が、読取が完了したことを示す場合、前記無線通信ユニットから送信され、通信バッファに格納された前記読取データの読取結果を読み出す光学読取システム。
【請求項４】
請求項２又は請求項３に記載の光学読取システムであって、
前記携帯型光学読取装置は、さらに、
前記バッテリ部のバッテリ残量の適否を検知する残量検知部を備え、
前記読取データは、前記残量検知部で検知されたバッテリ残量の適否を含み、
前記制御信号データは、バッテリ残量の適否を検知したか否かがＯＮまたはＯＦＦに対応付けられた残量検知情報を含む光学読取システム。
【請求項５】
請求項２〜４のいずれか一に記載の光学読取システムであって、
前記制御信号データは、読取が成功したことを示す読取成功情報、読取が失敗したことを示す読取失敗情報、照合が成功したことを示す照合成功情報、照合が失敗したことを示す照合失敗情報、バッテリ残量が低下していることを示すバッテリ残量低下情報のいずれか一を含む光学読取システム。
【請求項６】
請求項１に記載の光学読取システムであって、
前記無線通信ユニットは、ＵＳＢコネクタを有し、該ＵＳＢコネクタを介して前記ホストに接続される光学読取システム。
【請求項７】
請求項１〜６のいずれか一に記載の光学読取システムであって、
前記携帯型光学読取装置は、読取動作が可能な状態にない、低消費電力で動作させるためのスリープモードで動作している場合に、前記充電ユニットが接続されると、読取動作が可能な状態になる光学読取システム。
【請求項８】
読取対象となるシンボルを光学的に読み取る読取部、該読取部を収納するヘッド部、該ヘッド部と連設され、ユーザによって把持される把持部、前記読取部に駆動電力を供給するためのバッテリ部を有する携帯型光学読取装置であって、
外部電源に接続される電力線を介して前記バッテリ部を充電する充電ユニットと脱着可能に接続され、
前記バッテリ部から駆動電力が供給されると共に、前記読取部の読取結果を含む読取データを無線により外部に送信する第一通信部を備え、
前記充電ユニットとは別筐体で構成された無線通信ユニットが、前記第一通信部から送信された前記読取部の読取データを受信する第二通信部、及び、該第二通信部で受信した読取データを外部機器に送信する第三通信部を有する携帯型光学読取装置。
【請求項９】
請求項８に記載の携帯型光学読取装置であって、
前記第一通信部が送信する読取データは、外部のホストを制御するための制御信号データを含み、
前記無線通信ユニットが、さらに、前記ホストに前記制御信号データを出力するための出力端子を備える携帯型光学読取装置。
【請求項１０】
読取対象となるシンボルを光学的に読み取る読取部、該読取部を収納するヘッド部、該ヘッド部と連設され、ユーザによって把持される把持部、前記読取部の読取結果を含む読取データを無線により外部に送信する第一通信部、及び、前記読取部並びに第一通信部に駆動電力を供給するためのバッテリ部、を有する携帯型光学読取装置の前記第一通信部から送信された前記読取部の読取データを受信する第二通信部と、
前記第二通信部で受信した読取データを外部機器に送信する第三通信部と、
を備え、
前記携帯型光学読取装置と脱着可能に接続され、外部電源に接続される電力線を介して前記バッテリ部を充電する充電ユニットとは別筐体で構成される無線通信ユニット。
【請求項１１】
請求項１０に記載の無線通信ユニットであって、
前記携帯型光学読取装置において、前記第一通信部が送信する読取データは、外部のホストを制御するための制御信号データを含み、さらに、
前記ホストに前記制御信号データを出力するための出力端子を備える無線通信ユニット。
【請求項１２】
請求項１０に記載の無線通信ユニットであって、
ＵＳＢコネクタを有し、該ＵＳＢコネクタを介して前記ホストに接続される無線通信ユニット。
【発明の詳細な説明】
【技術分野】
【０００１】
本発明は、ハンディスキャナの使い勝手を向上させ、ハンディスキャナと無線通信する装置の設置自由度を高めることを可能にした光学読取システム及び携帯型光学読取装置並びに無線通信ユニットに関する。
【背景技術】
【０００２】
従来から、商品や梱包箱に付されたシンボルを読み取る装置として、手持ち式のハンディスキャナが知られている。このハンディスキャナには、通信ケーブルの取り回しの煩雑さを解消するため、ホストコンピュータと無線通信を行う無線式のものがある。無線式のハンディスキャナは、充電池を装着可能に構成され、充電池からの電力に基づきシンボルの読取動作を行う。そして、シンボルの読取を行わないときは、充電機能を有する置き台（以下、クレードルという。）にハンディスキャナを載置することにより、ハンディスキャナから充電池を取り出すことなく、充電池の充電が可能になる。例えば特許文献１では、図２５に示すように、ハンディターミナルを、ハンディターミナル用充電器にセットする様子が開示される。
【先行技術文献】
【特許文献】
【０００３】
【特許文献１】特開２０１３−１５６７５５号公報
【発明の概要】
【発明が解決しようとする課題】
【０００４】
しかしながら、クレードルを用いてしか充電できないとなると、ユーザはバッテリ残量が少なくなるたびにハンディスキャナをクレードルに載置しなければならず、使い勝手に欠ける。また、ハンディスキャナをクレードルに載置する動きを何度も繰り返すと、電気接点の摩耗が生じ、接触不良を起こしやすくなる意味でも、使い勝手に欠ける。さらに、一般にクレードルは、その上にハンディスキャナが載置されるため、クレードルを設置するための水平な場所を確保しなければならず、設置自由度にも欠ける。
【０００５】
本発明は、従来のこのような問題点に鑑みてなされたものである。本発明の目的の一は、ハンディスキャナの使い勝手を向上させ、ハンディスキャナと無線通信する装置の設置自由度を高めることができるようにした光学読取システム及び携帯型光学読取装置並びに無線通信ユニットを提供することにある。
【課題を解決するための手段及び発明の効果】
【０００６】
本発明の第１の側面に係る光学読取システムによれば、読取対象となるシンボルを光学的に読み取る読取部、該読取部を収納するヘッド部、該ヘッド部と連設され、ユーザによって把持される把持部、前記読取部の読取結果を含む読取データを無線により外部に送信する第一通信部、及び、前記読取部並びに第一通信部に駆動電力を供給するためのバッテリ部、を有する携帯型光学読取装置と、前記携帯型光学読取装置と脱着可能に接続され、外部電源に接続される電力線を介して前記バッテリ部を充電する充電ユニットと、前記充電ユニットとは別筐体で構成され、前記第一通信部から送信された前記読取部の読取データを受信する第二通信部、及び、該第二通信部で受信した読取データを外部機器に送信する第三通信部を有する無線通信ユニットと、を備えることができる。前記構成によれば、クレードルを使用せずに、抜け耐性及び電気的な接続部の耐摩耗性に優れた充電ユニットを介してハンディスキャナに電力供給できるので、充電の煩雑さや電気接点の摩耗の問題を解消できると共に、通信機能を無線通信ユニットに集約して別体として設けたので、無線通信ユニットをレイアウトフリーにでき、これによる配線面等での利益が得られる。
【０００７】
また、本発明の第２の側面に係る光学読取システムによれば、前記携帯型光学読取装置において、前記第一通信部が送信する読取データは、外部のホストを制御するための制御信号データを含み、前記無線通信ユニットは、さらに、前記ホストに前記制御信号データを出力するための出力端子を備えることができる。前記構成により、従来はＰＬＣ側でポーリングラダーを組む必要があったところ、無線通信ユニットがＰＬＣに制御信号データを出力するための出力端子を備えたので、ＰＬＣ側でポーリングラダーを組む必要がなくなり、利便性が向上する。
【０００８】
さらにまた、本発明の第３の側面に係る光学読取システムによれば、前記制御信号データは、読取を完了したか否かがＯＮまたはＯＦＦに対応付けられた読取完了情報を含み、前記ホストは、前記出力端子を介して受信した制御信号データの読取完了情報が、読取が完了したことを示す場合、前記無線通信ユニットから送信され、通信バッファに格納された前記読取データの読取結果を読み出すよう構成できる。前記構成により、ＰＬＣに接続された表示器に読取結果を表示できる。
【０００９】
さらにまた、本発明の第４の側面に係る光学読取システムによれば、前記携帯型光学読取装置は、さらに、前記バッテリ部のバッテリ残量の適否を検知する残量検知部を備え、前記読取データは、前記残量検知部で検知されたバッテリ残量の適否を含み、前記制御信号データは、バッテリ残量を検知したか否かがＯＮまたはＯＦＦに対応付けられた残量検知情報を含むよう構成できる。前記構成により、従来はＰＬＣに接続された表示器にローバッテリー警告を行うことができなかったところ、これが可能になる。
【００１０】
さらにまた、本発明の第５の側面に係る光学読取システムによれば、前記制御信号データは、読取が成功したことを示す読取成功情報、読取が失敗したことを示す読取失敗情報、照合が成功したことを示す照合成功情報、照合が失敗したことを示す照合失敗情報、バッテリ残量が低下していることを示すバッテリ残量低下情報のいずれか一を含むよう構成できる。なお、制御信号データには、さらに、無線通信が確立しているか否かの情報、携帯型光学読取装置がエラー状態であるか否かを示す状態情報、が含まれていてもよい。
【００１１】
さらにまた、本発明の第６の側面に係る光学読取システムによれば、前記無線通信ユニットは、ＵＳＢコネクタを有し、該ＵＳＢコネクタを介してホストに接続されるよう構成できる。前記構成により、無線通信ユニットをホストコンピュータにＵＳＢコネクタを介して直接接続することができるので、無線通信ユニットのレイアウトフリーの利便性が更に高まる。
【００１２】
さらにまた、本発明の第７の側面に係る光学読取システムによれば、前記携帯型光学読取装置は、読取動作が可能な状態にない、低消費電力で動作させるためのスリープモードで動作している場合に、前記充電ユニットが接続されると、読取動作が可能な状態になるよう構成できる。
【００１３】
さらにまた、本発明の第８の側面に係る携帯型光学読取装置によれば、読取対象となるシンボルを光学的に読み取る読取部、該読取部を収納するヘッド部、該ヘッド部と連設され、ユーザによって把持される把持部、前記読取部に駆動電力を供給するためのバッテリ部を有する携帯型光学読取装置であって、外部電源に接続される電力線を介して前記バッテリ部を充電する充電ユニットと脱着可能に接続され、前記バッテリ部から駆動電力が供給されると共に、前記読取部の読取結果を含む読取データを無線により外部に送信する第一通信部を備え、前記充電ユニットとは別筐体で構成された無線通信ユニットが、前記第一通信部から送信された前記読取部の読取データを受信する第二通信部、及び、該第二通信部で受信した読取データを外部機器に送信する第三通信部を有するよう構成できる。
【００１４】
さらにまた、本発明の第９の側面に係る携帯型光学読取装置によれば、前記第一通信部が送信する読取データは、外部のホストを制御するための制御信号データを含み、前記無線通信ユニットが、さらに、前記ホストに前記制御信号データを出力するための出力端子を備えるよう構成できる。
【００１５】
さらにまた、本発明の第１０の側面に係る無線通信ユニットによれば、読取対象となるシンボルを光学的に読み取る読取部、該読取部を収納するヘッド部、該ヘッド部と連設され、ユーザによって把持される把持部、前記読取部の読取結果を含む読取データを無線により外部に送信する第一通信部、及び、前記読取部並びに第一通信部に駆動電力を供給するためのバッテリ部、を有する携帯型光学読取装置の前記第一通信部から送信された前記読取部の読取データを受信する第二通信部と、前記第二通信部で受信した読取データを外部機器に送信する第三通信部と、を備え、前記携帯型光学読取装置と脱着可能に接続され、外部電源に接続される電力線を介して前記バッテリ部を充電する充電ユニットとは別筐体で構成できる。
【００１６】
さらにまた、本発明の第１１の側面に係る無線通信ユニットによれば、前記携帯型光学読取装置において、前記第一通信部が送信する読取データは、外部のホストを制御するための制御信号データを含み、さらに、前記ホストに前記制御信号データを出力するための出力端子を備えることができる。
【００１７】
さらにまた、本発明の第１２の側面に係る無線通信ユニットによれば、ＵＳＢコネクタを有し、該ＵＳＢコネクタを介してホストに接続されるよう構成できる。
【図面の簡単な説明】
【００１８】
【図１】ハンディスキャナから充電ユニットを取り外した状態を示す図である。
【図２】充電ユニットとハンディスキャナとを接続した状態を示す図である。
【図３】ハンディスキャナからバッテリを取り出した状態を示す図である。
【図４】本発明の一実施形態に係る光学読取システムの構成を示す模式図である。
【図５】本発明の他の実施形態に係る光学読取システムの構成を示す模式図である。
【図６】光学読取システムの詳細な構成を示す模式図である。
【図７】本発明の一実施形態に係るハンディスキャナの構成を示す模式図である。
【図８】ハンディスキャナの正面図である。
【図９】ハンディスキャナの右側面図である。
【図１０】ハンディスキャナの背面図である。
【図１１】ハンディスキャナの内部構成を示す構造図である。
【図１２】ハンディスキャナの内部構成を示す構造図であって、図９とは異なる角度から見た図である。
【図１３】ハンディスキャナの内部構成を示す構造図であって、図９及び図１０とは異なる角度から見た図である。
【図１４】ハンディスキャナのハードウェア構成を示すブロック図である。
【図１５】電源基板におけるメイン基板へ電力を供給するためのハードウェア構成を示すブロック図である。
【図１６】充電ユニットにおけるハンディスキャナへ電力を供給するためのハードウェア構成を示すブロック図である。
【図１７】ハンディスキャナと充電ユニットとの間で、バッテリへの充電制御及びハンディスキャナへの給電制御に関連するハードウェア構成を示すブロック図である。
【図１８】ＰＬＣ通信ユニットのハードウェア構成を示すブロック図である。
【図１９】ＵＳＢ通信ユニットのハードウェア構成を示すブロック図である。
【図２０】ハンディスキャナの読取動作の手順を示すフローチャートである。
【図２１】ＰＬＣ通信ユニットの動作の手順を示すフローチャートである。
【図２２】Ｂｌｕｅｔｏｏｔｈが未接続の際の動作の手順を示すフローチャートである。
【図２３】バッテリ挿着時のハンディスキャナの動作の手順を示すフローチャートである。
【図２４】充電ユニット接続時のハンディスキャナの動作の手順を示すフローチャートである。
【図２５】従来のハンディターミナルを示す模式図である。
【発明を実施するための形態】
【００１９】
以下、本発明の実施の形態を図面に基づいて説明する。ただし、以下に示す実施の形態は、本発明の技術思想を具体化するための携帯型光学読取装置を例示するものであって、本発明は携帯型光学読取装置を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２０】
また、本実施の形態において使用される光学読取システム、携帯型光学読取装置、及びＰＬＣ通信ユニット並びにＵＳＢ通信ユニットとこれに接続される操作、制御、表示、その他の処理等のためのコンピュータ、プリンタ、外部記憶装置その他の周辺機器との接続は、例えばＩＥＥＥ１３９４、ＲＳ−２３２ｘやＲＳ−４２２、ＲＳ−４２３、ＲＳ−４８５、ＵＳＢ等のシリアル接続、パラレル接続、あるいは１０ＢＡＳＥ−Ｔ、１００ＢＡＳＥＴＸ、１０００ＢＡＳＥ−Ｔ等のネットワークを介して電気的、あるいは磁気的、光学的に接続して通信を行う。接続は有線を使った物理的な接続に限られず、ＩＥＥＥ８０２．１ｘ等の無線ＬＡＮやＢｌｕｅｔｏｏｔｈ（登録商標）、その他のＮＦＣ等の電波、赤外線、光通信等を利用した無線接続等でもよい。さらにデータの交換や設定の保存等を行うための記録媒体には、メモリカードや磁気ディスク、光ディスク、光磁気ディスク、半導体メモリ等が利用できる。
【００２１】
携帯型光学読取装置（以下、ハンディスキャナともいう。）における基本原理は、レーザ光を照射し、反射光の濃淡でバーコードなどのシンボル（以下、一例として、バーコードまたはコードともいう。）の識別をしている。近年、携帯電話やスマートフォンなどでは、二次元のコード（ＱＲコード（登録商標）など）が一般的になってきており、このタイプはレーザ光ではスキャンできず、主にカメラで画像として撮像し、画像を解析してコードを識別している。
【００２２】
大きく分けるとレーザ式とカメラ式があり、更に大別すると、固定式と手持式がある。固定式は、一般に、日常生活の中ではあまり取り扱われないが、例えば工場の中で、トレーサビリティのために、自動化ラインで固定式を使用することがある。手持式は、レジなどの日常生活の中で使用されるような民生品もあれば、工場の中でも、人が介在するところでは、使用することがある。
【００２３】
更に細かく分類すると、コードの種類で一次元のバーコードと二次元のバーコードとがある。多くは紙やラベラーに印字されたものを読み取るが、中には、ダイレクトパーツマーキング（ＤＰＭ）と一般的に言われているような直接エンジンなどの金属製品・部品にレーザマーカーで印字をして、それを読み取るような携帯型光学読取装置もある。
【００２４】
本発明に係る携帯型光学読取装置は、ユーザが手で持って読取作業を行うタイプである。適用対象は、民生品からＤＰＭなど多岐に亘ってよく、特に限定されない。
【００２５】
なお、シンボルには、一次元コードや二次元コードに加え、これらを組み合わせた合成シンボルも含む。一次元コードは、バーコードや一次元シンボル等とも呼ばれ、Ｃｏｄｅ３９やＣｏｄｅ１２８等が挙げられる。
【００２６】
二次元コードも同様に二次元バーコードや二次元シンボル等とも呼ばれ、ＱＲコード（登録商標）、マイクロＱＲコード、データマトリクス（DataMatrix）、ベリコード（VeriCode）、アズテックコード（AztecCode）、ＰＤＦ４１７、ＭｉｃｒｏＰＤＦ４１７、マキシコード（MaxiCode）などがある。
【００２７】
また合成シンボルには、一次元コードと二次元コードが混在するＧＳ１合成シンボルなどがある。ＧＳ１合成シンボルはベースになる一次元コードとしてＥＡＮ／ＵＰＣ（EAN-13、EAN-8、UPC-A、UPC-E）、ＧＳ１-１２８及びＧＳ１データバーの三種が利用できる。また、付加情報には、ＭｉｃｒｏＰＤＦ４１７又はＰＤＦ４１７の二次元コードが利用できる。また、本実施の形態は、バーコードと、マイクロＱＲコードなどのマトリクス型二次元コードとを組み合わせたものにも適用できる。
（光学読取システムの構成）
【００２８】
図２５は、ハンディターミナルでの従来例であるが、ハンディスキャナも同様、コードレスタイプのハンディスキャナでは、元来、ユーザは、電池がなくなると、クレードルのところまで行って、ハンディスキャナをクレードルにセットして充電し、充電が完了したら、そこから取り出して使用する。すなわち、ユーザは、ハンディスキャナを充電するために、必ず、クレードルのところに戻る必要があった。
【００２９】
しかしながら、（１）それがユーザにとって煩雑であったり、（２）ハンディスキャナをクレードルに置いて充電する作業を何度も繰り返していると、電気接点が摩耗する問題があり、（３）通常、クレードルは水平な場所に設置するが、なるべくユーザの作業スペースの近くで、その設置場所を確保しなければならないという不便さがあり、それらを解消したいというニーズがあった。このニーズを満たすために、ハンディスキャナにＡＣアダプタを接続したままバーコードの読取作業を行うことが考えられるが、ハンディスキャナが様々な位置に動かされるため、コネクタに負荷が掛かり、ＡＣアダプタが抜けやすくなる結果、ＡＣアダプタの抜け耐性が低下してしまう虞がある。また、コネクタに負荷が掛かると、コネクタにおける電気的な接続部の耐摩耗性が低下する虞もある。
【００３０】
これに対して、ＡＣアダプタに代えて、ハンディスキャナ１との抜け耐性及び電気的な接続部の耐摩耗性に優れた充電ユニット１０１を介してハンディスキャナ１に電力供給できれば、前述した（１）〜（３）を解消することができる。例えば図１及び図２に示すように、ハンディスキャナ１と充電ユニット１０１とを脱着自在の別体として構成することで、図２に示すように、両者を接続したままバーコードの読取作業を行うことも、図３に示すようなハンディスキャナ１に内蔵されたバッテリ５を充電することも可能となり、また、図１に示すように、充電ユニット１０１を取り外してハンディスキャナ１を単体として使用することもできる。
【００３１】
ここで、前述の問題を解消するため、ハンディスキャナ１への電力供給を充電ユニット１０１にて行うと想定して、ハンディスキャナ１の読取結果をＰＬＣ（Programmable Logic Controller）などに送信するための通信機能をいずれに持たせるかを考える。例えば、ハンディスキャナ１や充電ユニット１０１にその通信機能を持たせようとすると、ＰＬＣやＰＣ（Personal Computer）などの複数の機器と接続するためのケーブルによって取り回しが悪くなる。また、工場などで複数台のハンディスキャナ１を用いて併行して読取作業を行う場合、この配線が問題となる。
【００３２】
ハンディスキャナ１を工場などの製造ラインで使用する場合、読取結果の送信先であるＰＬＣは、大枠が制御盤に入っており、この制御盤は、通常、製造ラインの開始位置などに設置されている。すなわち、必ずしも、読取結果の送信先は、ユーザの作業スペースの近くにあるとは限らない。例えば工場の中でＰＬＣにＥｔｈｅｒｎｅｔ（登録商標）で配線する場合、通常、種々の装置に這わせて、機能性と優美性とを両立させて配線される。工場内での製造ラインのレイアウトは、新製品への対応や動線を考慮しての設計変更によって常に同じではないため、ユーザの作業スペースが変わる度に、結束バンドを外して、再度整線し直すのは煩雑である。したがって、ＰＬＣに対して、レイアウトの変更が少ない近い距離には有線を適用し、レイアウトの変更があった場合に再度の整線作業が煩雑な遠い距離には無線を適用した方がよいという技術思想が根本にある。
【００３３】
このような工場内での事情の下では、仮に、クレードルに通信機能を持たせようとすると、単に、前述した（１）〜（３）の問題を解消できないに留まらず、（３）に示したように、クレードルは、通常、充電の必要性から作業スペースの近くに設置することになるため、有線で接続した機器は近くに、無線で接続した機器は遠くに配置するという根本の技術思想に沿わない。
【００３４】
そこで、本実施の形態では、図１及び図２に示すように、ハンディスキャナ１と充電ユニット１０１とを脱着自在の別体として構成することで、前述の（１）〜（３）の問題を解消すると共に、レイアウトフリーな中継機器を設置して、この中継機器に通信機能を持たせる。典型的な光学読取システム４０１の構成を図４に示す。この図に示すように、光学読取システム４０１は、バーコードを読み取るためのハンディスキャナ１と、ハンディスキャナ１に電力供給するための充電ユニット１０１と、前述のレイアウトフリーな中継機器としての役割を担い、ハンディスキャナ１と無線通信を双方向で行い、ＰＬＣやＰＣなどのホストとなる機器に読取結果を出力するためのＰＬＣ通信ユニット６０１とで構成される。
【００３５】
このように、ハンディスキャナ１と無線通信を双方向で行い、ＰＬＣやＰＣなどのホストとなる機器に読取結果を出力するための機能をＰＬＣ通信ユニット６０１に設けて別体としたことで、クレードルのように水平の場所でなければ充電できないような場所にでも設置可能であり、また、ホスト機器の近くに設置することで、前述の配線の問題も解消する。さらにまた、充電するためにクレードルの場所まで戻る必要がなく、充電ユニット１０１を接続したままでハンディスキャナ１を使用することも充電することも可能となる。
【００３６】
ここで、レイアウトフリーな中継機器としては、ＰＬＣ通信ユニット６０１という態様の他に、ＵＳＢ接続のＵＳＢ通信ユニット７０１をホスト機器に接続してもよい。図５は、中継機器としてＵＳＢ通信ユニット７０１を利用する場合の光学読取システム４０１の構成を示す模式図である。この図に示すように、ＵＳＢ通信ユニット７０１を使用する場合、ＰＣに直接接続して使用するため、配線自体を不要とできる。また図６は、光学読取システム４０１のより具体的な構成を示す模式図である。この図に示すように、Ｂｌｕｅｔｏｏｔｈの通信機能は、ハンディスキャナ１の他、ＰＬＣ通信ユニット６０１及びＵＳＢ通信ユニット７０１にも設けられており、ＰＬＣ通信ユニット６０１は、読取結果をＲＣ−２３２ＣあるいはＥｔｈｅｒｎｅｔを介して受信する場合に用い、ＵＳＢ通信ユニット７０１は、読取結果をＵＳＢコネクタを介して受信する場合に用いることになる。
【００３７】
ＰＬＣ通信ユニット６０１には、図６に示すように、出力端子６２４が設けられており、Ｂｌｕｅｔｏｏｔｈを介してハンディスキャナ１から受信したバッテリ５の残量をＰＬＣに向けて出力できるようになっており、ＰＬＣに接続されている表示器等上でバッテリ５の残量に関する情報などを表示することができる。なお、ＰＬＣ以外にも、ＰＣや表示器などホストに対して広く応用可能である。
【００３８】
図６において、右側が通信系のシステムであり、ＰＬＣ通信ユニット６０１は、出力端子６２４を介して、ＰＬＣに対して、読取完了と関連付けられたＬＯＷまたはＨＩＧＨに対応する信号を出力する。ＰＬＣ側では、読取完了を示す信号の入力があると、読取結果を取り込むよう制御する（詳細は後述）。
【００３９】
図６において、左側が電源系のシステムであり、ＡＣ電源からＡＣケーブル及びＡＣアダプタを介して、ＰＬＣ通信ユニット６０１及びハンディスキャナ１に１２Ｖの直流電力を供給する。ハンディスキャナ１への電力供給は２系統あり、１つは、充電ユニット１０１を介して、バッテリ５の充電及び読取動作のために５Ｖの直流電力が供給される。
【００４０】
もう１つの系統は、バッテリ５をバッテリ充電器９にて別途充電し、充電が完了したバッテリ５が、ハンディスキャナ１の読取動作のために３．７Ｖの直流電力を供給する。１つの製造ラインでハンディスキャナ１を複数台使用する場合があるところ、バッテリ充電器９があるので、ユーザは、充電ユニット１０１をハンディスキャナ１の台数分用意しなくても、例えば、取り替え用のバッテリ５を複数個用意し、バッテリ充電器９にて充電した後、満充電にしたバッテリ５をハンディスキャナ１に挿着してそれらをコードレスで使用できる。
（ハンディスキャナ１）
【００４１】
図７は、ハンディスキャナ１の構成を示す模式図である。この図において、符号ＩＬは照明光を示している。以下、便宜上、ハンディスキャナ１の読取口４側から見る方向を正面、ヘッド部３側から見る方向を平面、把持部２の端面側から見る方向を底面として、夫々の面を正投影図法に準拠して定義する。また、ハンディスキャナ１のうち読取口４がある方を前方、その反対側を後方として定義する。
【００４２】
図８は、ハンディスキャナ１の正面図、図９は、同右側面図、図１０は、同背面図である。図７〜図１０に示すように、ハンディスキャナ１は、正面の上部に、バーコードを読み取るための矩形状の読取口４を有し、読取口４から背面に向けて両側面及び平面が連設されて形成されるヘッド部３を備えている。また、ヘッド部３に連設されるとともに連設方向、すなわち底面方向に延在し、その外形が断面略円形の棒状となるよう、ユーザによって把持される把持部２が設けられている。
【００４３】
把持部２の底面方向には端面が形成されており、そこに充電ユニット接続部１１が配設されている。充電ユニット１０１は、この充電ユニット接続部１１に接続される。図１及び図２に示すように、ハンディスキャナ１は、充電ユニット１０１を接続したまま使用することもできるし、ハンディスキャナ１をコードレスの単体として使用することもできる。
【００４４】
ハンディスキャナ１を駆動するための駆動電力は、バッテリ５または充電ユニット１０１から供給されるが、両方から供給可能な場合には、電圧の高い方が優先され、通常、電圧の高い充電ユニット１０１から供給される。ユーザは、図２に示すように、ハンディスキャナ１を充電ユニット１０１に接続したまま、バッテリ５の充電状態を気にすることなく、あるいは、バッテリ５の有無に拘わらず、バーコードの読取作業を行うことができる。
【００４５】
バッテリ５は、円筒型の形状をしており、例えばリチウムイオン電池が用いられ、図３に示すように、バッテリ蓋６を閉じて、把持部２の内部に収納されるようになっている。バッテリ蓋６の図３において下方に、バッテリ蓋ロック７が設けられており、これを押すと、バッテリ蓋６が開くように構成されている。
【００４６】
図１１〜図１３は、ハンディスキャナ１の内部構成を示す構造図である。ハンディスキャナ１は、これらの図に示すように、主として、フロントケース４３と、読取部４１と、バッテリ部４２と、リアケース４４と、充電ユニット接続部１１とから構成されている。
【００４７】
読取部４１は、図１１〜図１３に示すように、読取対象にＬＥＤ照明光ＩＬをリフレクタ３６並びに偏光素子２４の投光用偏光素子２４２を介して投光するためのＬＥＤ照明２９１５（図示していない。）と、拡散板２３を介して読取対象に対して側面から拡散光ＩＬを出射するためのＬＥＤ照明２９１１〜ＬＥＤ照明２９１４（図示していない。）と、ＬＥＤ照明２９１１〜ＬＥＤ照明２９１５を制御するための照明基板２９と、読取に有用な反射光を効率良く反射させるための反射板２８とを含む投光部４６、カメラフレーム３２と、カメラカバー３０と、読取対象からの反射光を投光用偏光素子２４２と位相が９０°異なる偏光素子２４の受光用偏光素子２４１を介して受光し光像を形成するための受光レンズ３１と、受光レンズ３１で形成された光像からデジタル画像を作成するためのＣＭＯＳイメージセンサ３４とを含む受光部４７、ユーザが操作するためのトリガースイッチ２５と、トリガーパッキン２６と、各種モードに切り替えるためのファンクションスイッチ５０とを含む操作部４８、ユーザに種々の情報を通知するためのバイブレータ２７とインジケータＬＥＤ２１とインジケータレンズ２２とを含む通知部４９、読取結果をＰＬＣやＰＣに送信するための別体のＰＬＣ通信ユニット６０１との間で例えばＢｌｕｅｔｏｏｔｈなどの無線通信をするための通信部、投光部４６と受光部４７と操作部４８と通知部４９と通信部とを制御するためのメイン基板３３、各種部材に電力を供給するための電源基板３７を主要部として備えている。
【００４８】
バッテリ部４２は、円筒型の形状をした３．７Ｖのバッテリ５、バッテリ５を収納して閉じるためのバッテリ蓋６、バッテリ５からメイン基板３３に給電するためのバッテリ充電コントローラ３５を主要部として備えている。
【００４９】
フロントケース４３及びリアケース４４は、読取部４１とバッテリ部４２とを収容し、両者が合わさって筐体が形成される。筐体の把持部２の端面に充電ユニット接続部１１が配設されている。
（ハンディスキャナ１の回路ブロック）
【００５０】
図１４は、ハンディスキャナ１のハードウェア構成を示すブロック図である。図１４に示すように、メイン基板３３は、ＤＳＰ３３１等を備えており、ハンディスキャナ１の投光部４６及び受光部４７、操作部４８、通知部４９の動作を制御するとともに、取得した画像に対して読取処理を実行する。またメイン基板３３は、通信部を動作させて読取結果を通信ユニットに送信する。
【００５１】
ＤＳＰ３３１は、ＲＯＭ３３２に記憶されている（又はＲＡＭ３３３に展開された）プログラム及び設定に基づいて、トリガースイッチがＯＮになったことを検出すると、ＬＥＤドライバ２９２を介して、ＬＥＤ照明２９１１〜ＬＥＤ照明２９１５を設定した態様で点灯するよう制御する。例えば、ＬＥＤ照明２９１１〜ＬＥＤ照明２９１４を拡散板２３の背部に周上に夫々配設してブロックを形成し、ブロック毎に点灯を制御する。このブロック点灯によって、拡散照明でありながら、特定の方向からバーコードに照明を当てることができる。
【００５２】
続いて、ＤＳＰ３３１は、ＣＭＯＳイメージセンサ３４が画像データをＲＡＭ３３３に保存し、ＲＡＭ３３３に保存された画像データに基づいてデコード処理をする。読取処理が終了し、通信部を制御してＢｌｕｅｔｏｏｔｈで読取結果を出力する。またＤＳＰ３３１は、ブザードライバ５１１を介して、ブザー５１から正常に読取完了を知らせる音を鳴らし、同時に、モータドライバ２７１を介して、バイブレータ２７を動作させる。さらにまた、ＤＳＰ３３１は、インジケータドライバ２１１を介して、インジケータＬＥＤ２１を点灯させ、ユーザに対して、読取の完了や各種の進捗などを通知する。
【００５３】
また、バッテリ充電コントローラ３５は、バッテリ残量が低下しているか、低下していないか、というバッテリ残量の適否を検知する残量検知部５４を備えており、残量検知部５４が、バッテリ５の端子電圧を検出し、ＤＳＰ３３１が、該端子電圧からバッテリ残量を算出する。ＤＳＰ３３１は、この算出されたバッテリ残量を、通信部を制御してＢｌｕｅｔｏｏｔｈで出力する。
【００５４】
ＤＳＰ３３１は、読取結果やバッテリ残量の情報に、読取完了やバッテリ残量の更新などと関連付けて、ＰＬＣのＬＯＷまたはＨＩＧＨに対応したＯＮ（ＯＦＦ）かＯＦＦ（ＯＮ）の信号を付帯させて、Ｂｌｕｅｔｏｏｔｈで出力する。この信号は、ＰＬＣに対して、バーコードの読取が完了したことを示す読取完了や、バッテリ残量の適否などの情報を知らせるための制御信号データであり、ＰＬＣ通信ユニット６０１の出力端子２２４を介して、ＰＬＣに出力される。この制御信号には、「読取成功」、「読取失敗」、「照合成功」、「照合失敗」、「バッテリ残量低下」などの情報も含まれる。なお、制御信号データには、さらに、無線通信が確立しているか否かの情報、携帯型光学読取装置がエラー状態であるか否かを示す状態情報、が含まれていてもよい。
【００５５】
図１５は、電源基板３７におけるメイン基板３３へ電力を供給するためのハードウェア構成を示すブロック図である。ＡＣアダプタに繋がる充電ユニット１０１から電気接点１２を介して電源供給する系統は所定の電圧がかけられており、バッテリ５からの系統は、所定の電圧がかけられている。電源基板３７において、スイッチ５２とバッテリ充電コントローラ３５とが並列になっており、バッテリ充電コントローラ３５を介してバッテリ５を充電することも、スイッチ５２を介してメイン基板３３へ電力供給することもできる。充電ユニット１０１がハンディスキャナ１と繋がっており、かつ、ハンディスキャナ１にバッテリ５が入っている場合、すなわち、両方とも繋がっている場合、通常、メイン基板３３へは充電ユニット１０１から電力が供給されることになる。この場合において、バッテリ５の電圧が所定の電圧より低い場合、バッテリ５が充電される。
【００５６】
また、充電ユニット１０１がハンディスキャナ１と繋がっていない場合、バッテリ５から電力が供給される。ハンディスキャナ１にバッテリ５が入っていない場合は、充電ユニット１０１から電力が供給される。
（充電ユニット１０１の回路ブロック）
【００５７】
図１６は、充電ユニット１０１におけるハンディスキャナ１へ電力を供給するためのハードウェア構成を示すブロック図である。電源供給端子１３１はＡＣアダプタが繋がる口になっており、ＡＣ電源からＡＣアダプタを介して変換された１２Ｖの直流電圧は、図１６に示すように、電源供給端子１３１を介して、ＤＣ／ＤＣコンバータ１３２に出力される。ＤＣ／ＤＣコンバータ１３２は、１２Ｖの直流電圧を５Ｖに変換し、スイッチ１３３に出力する。スキャナ検知回路１３４は、ハンディスキャナ１が接続されたことを検知すると、スキャナ検知信号をスイッチ１３３へ出力する。スイッチ１３３は、スキャナ検知回路１３４からのスキャナ検知信号の入力があると、ＤＣ／ＤＣコンバータ１３２によって変換された５Ｖの直流電圧を電気接点１１２に出力し、スキャナ検知信号の入力がない場合には、電気接点１１２へは出力しない。すなわち、安全を考慮して、ハンディスキャナ１が接続されないと、５Ｖの直流電圧は、ハンディスキャナ１へ供給されない。
【００５８】
図１７は、ハンディスキャナ１と充電ユニット１０１との間で、バッテリ５への充電制御及びハンディスキャナ１への給電制御に関連するハードウェア構成を示すブロック図である。この図に示すように、ハンディスキャナ１において、バッテリ５からバッテリ端子５３へ電力が出力される一方で、バッテリ端子５３を介してバッテリ５の充電が行われる。この充電制御は、メイン基板３３が行ってもよいし、バッテリ充電コントローラ３５が行ってもよい。
（ＰＬＣ通信ユニット６０１の回路ブロック）
【００５９】
図１８は、ＰＬＣ通信ユニット６０１における、読取結果やバッテリ残量をハンディスキャナ１から受信してＰＬＣへ転送するためのハードウェア構成を示すブロック図である。この図に示すＰＬＣ通信ユニット６０１は、ＣＰＵ６１１と、ＲＯＭ６１２と、ＲＡＭ６１３と、Ｂｌｕｅｔｏｏｔｈと、スイッチ６１５と、Ｅｔｈｅｒｎｅｔと、ＲＳ−２３２Ｃと、ＵＳＢと、出力端子６２４と、インジケータＬＥＤ６２５とを備え、これらはバスで互いに接続されている。ＣＰＵ６１１は、ＲＯＭ６１２に格納されている（又はＲＡＭ６１３に展開された）プログラムに基づいて、各部材を制御している。
【００６０】
ＡＣアダプタから１２Ｖまたは電源から２４Ｖの直流電力が供給され、ＤＣ／ＤＣコンバータ（図示していない。）を介してメイン回路へ電力が供給される。この図に示すように、Ｂｌｕｅｔｏｏｔｈは、ハンディスキャナ１との間で無線通信を行い、ハンディスキャナ１にてデコードされた読取結果やバッテリ残量などを受信し、ＲＡＭ６１３がこれらを記憶する。この読取結果やバッテリ残量の情報には、読取完了やバッテリ残量の更新などと関連付けて、ＰＬＣのＬＯＷまたはＨＩＧＨに対応する制御信号が付帯している。この制御信号は、ＰＬＣに対して、バーコードの読取が完了したことを示す読取完了や、現在のバッテリの残量情報を取得したこと示すバッテリ残量取得などの情報を知らせるための信号であり、出力端子６２４を介して、ＰＬＣに出力される。ハンディスキャナ１で読み取られた読取データは、直ちに、ＲＳ−２３２ＣやＥｔｈｅｒｎｅｔを介して、ＰＬＣに送られ、ＰＬＣの通信バッファに格納される。すなわち、読取データは、適宜ＰＬＣに送られている。そして、ＰＬＣは、この制御信号の読取完了情報がＯＮになると、自己の通信バッファに格納されている読取データを読み出す。
【００６１】
ＵＳＢは、各種設定をするために設けられている。例えば、ＵＳＢを介して、ＰＬＣ通信ユニット６０１のＩＰアドレスが設定できる。
【００６２】
インタフェースとしては、スイッチ６１５及びインジケータＬＥＤ６２５がある。インジケータＬＥＤ６２５は、通信状況に応じて点灯するようになっている。スイッチ６１５は、ハンディスキャナ１との間でＢｌｕｅｔｏｏｔｈのペアリングをする際に使用する。スイッチ６１５を押すと、インジケータＬＥＤ６２５が点灯してペアリングモードになる。ハンディスキャナ１側では、ペアリングコードを示すバーコードを読み取ると、ハンディスキャナ１もペアリングモードになる。両者が互いを探し出せるとリンクが確定する。
（ＵＳＢ通信ユニット７０１の回路ブロック）
【００６３】
図１９は、ＵＳＢ通信ユニット７０１における、読取結果やバッテリ残量をハンディスキャナ１から受信してＰＣへ転送するためのハードウェア構成を示すブロック図である。この図に示すＵＳＢ通信ユニット７０１は、ＣＰＵ７１１と、ＤＣ／ＤＣコンバータ７１２と、Ｂｌｕｅｔｏｏｔｈと、スイッチ７１５と、ＵＳＢと、ＵＳＢコネクタ７２３と、インジケータＬＥＤ７２５とを備え、これらはバスで互いに接続されている。ＣＰＵ７１１は各部材を制御している。ＰＣからＵＳＢコネクタ７２３及びＤＣ／ＤＣコンバータ７１２を介してメイン回路へ電力が供給される。
【００６４】
Ｂｌｕｅｔｏｏｔｈは、ハンディスキャナ１との間で無線通信を行い、ハンディスキャナ１にてデコードされた読取結果やバッテリ残量を受信する。ＵＳＢは、ＵＳＢコネクタ７２３を介してＰＣと通信し、ＰＣに対して、Ｂｌｕｅｔｏｏｔｈにて受信した読取結果やバッテリ残量を転送する。
【００６５】
インタフェースとしては、スイッチ７１５及びインジケータＬＥＤ７２５があり、各部材の機能は、前述したＰＬＣ通信ユニット６０１の場合と同様である。
（ハンディスキャナ１の読取動作の手順）
【００６６】
次に、このように構成されたハンディスキャナ１の読取動作の手順を、図２０のフローチャートに基づいて説明する。まずステップＳＴ１０１において、ハンディスキャナ１がバッテリ５で動作しているとした前提で、現在、ハンディスキャナ１がスリープモードに入っているか否かを判定する。ここで、スリープモードとは、ハンディスキャナ１がバッテリ５で動作している場合に、ハンディスキャナ１を低消費電力で動作させるためのモードである。
【００６７】
スリープモードに入っていない場合、ステップＳＴ１０２において、スリープモードに入るか否かを判定する。スリープモードに入るか否かは時間で決めている。ユーザの操作は、トリガーを押すことに限られるので、トリガーが押されていない時間が設定時間を経過した場合にスリープモードに入る。この設定時間は、ユーザが設定できる。この設定時間が経過してもトリガーが押されなければスリープモードに入る。
【００６８】
ステップＳＴ１０２において、スリープモードに入らない場合、ステップＳＴ１０３において、トリガーが押されたか否かを判定する。トリガーが押されていれば、ステップＳＴにおいて、撮像して、デコード処理をする。撮像してデコードした時に、正常に読み取れたか否かを判定し、正常に読み取れなければ、ステップＳＴ１０３に戻り、トリガーがまた押されていれば、このステップＳＴ１０３〜ステップＳＴ１０５を繰り返す。ステップＳＴ１０５において、最初に、正常に読み取れた場合、読取結果を出力する。
【００６９】
ステップＳＴ１０１において、スリープモードに入っていると判定された場合、ステップＳＴ１０７において、トリガーが押されたか否かを判定する。トリガーが押されれば、ステップＳＴ１０３の動作を実行する。トリガーが押されなければ、ステップＳＴ１０６のスリープモードを継続する。すなわち、ハンディスキャナ１がスリープモードに入っている時、最初、トリガーを押さないと起動しないシステムになっている。
（ＰＬＣ通信ユニット６０１の動作の手順）
【００７０】
続いて、ハンディスキャナ１から出力された読取結果の受け側であるＰＬＣ通信ユニット６０１の動作の手順を、図２１のフローチャートに基づいて説明する。ＰＬＣ通信ユニット６０１は、通常、ハンディスキャナ１から読取結果が送信されるのを待つ待機状態にある。ステップＳＴ２０１において、データが受信できたか否かを判定し、データを受信していれば、ステップＳＴ２０２において、データを解析して、ホスト機器（ＰＬＣやＰＣ）へデータを出力する。
【００７１】
ステップＳＴ２０２によって解析されたデータの中に、出力端子６２４をＯＮまたはＯＦＦにするための制御信号のデータが付帯する場合と付帯しない場合があるので、ステップＳＴ２０４において、その制御信号の有無を判定する。その中に制御信号のデータが含まれていれば、出力端子６２４に制御信号を出力し、含まれていなければ、ステップＳＴ２０１の待機状態に戻る。この制御信号には、「読取成功」、「読取失敗」、「照合成功」、「照合失敗」、「バッテリ残量低下」などの情報も含まれる。この「読取成功」の際には、ハンディスキャナ１で例えば「ピッ」という音が鳴るようになっている。一方、「読取失敗」は、音が鳴るなどの変化はなく、ユーザがトリガーから手を離した時に終了する（失敗と認識する）。またハンディスキャナ１は、照合機能を有しており、予めバーコードの読取を行い、そのバーコードを登録しており、再度読取を行った際に、予め登録されたものと同じであれば、「照合成功」となり、同じでなければ、「照合失敗」となる。
（Ｂｌｕｅｔｏｏｔｈが未接続の際の動作の手順）
【００７２】
Ｂｌｕｅｔｏｏｔｈが未接続の時、読取が成功しても、結局通信できないので、通信エラー表示となる。図２２は、Ｂｌｕｅｔｏｏｔｈが未接続の際の動作の手順を示すフローチャートである。この図に示すように、ステップＳＴ３０１〜ステップＳＴ３０６の手順は、図２０のフローチャートに示すハンディスキャナ１の読取動作の手順と略（ほぼ）同様である。両者の違いは、ステップＳＴ３０５において、読取が成功したと判定した場合、読取結果を出力することになるが、この時、出力が正常に行われるか否かを判定しており、正常に出力できない場合には、通信エラーが表示されるようになっている。また、読取結果を正常に出力できない場合には、ハンディスキャナ１側では、音の違いでユーザが気づけるようになっている。例えば、「読取成功」の場合の「ピッ」という音に対して、「読取失敗」の場合には「ブブッ」という音が鳴るようになっている。無線が正常に接続されているか否かはユーザにとって重要な情報であり、読取結果がホスト機器まで正常に届いているかをユーザが知るために、前述の音が鳴る仕組みになっている。
（バッテリ５挿着時のハンディスキャナ１の動作の手順）
【００７３】
図２３は、バッテリ５挿着時のハンディスキャナ１の動作の手順を示すフローチャートである。この図に示すように、ステップＳＴ４０１にてバッテリ５を挿着すると、ハンディスキャナ１は、ステップＳＴ４０２にて、スリープモードで動作するようになっている。なお、このスリープ状態にある時にトリガーを押しても撮像し始めることはない。トリガーが押されるとハンディスキャナ１が起動する。この動作は、図２１に示すハンディスキャナ１の読取動作のステップＳＴ１０６の動作に対応している。
（充電ユニット１０１接続時のハンディスキャナ１の動作の手順）
【００７４】
図２４は、充電ユニット１０１接続時のハンディスキャナ１の動作の手順を示すフローチャートである。この図に示すように、ステップＳＴ５０１にて充電ユニット１０１を接続した場合、ステップＳＴ５０２において、メインシステムが起動する。
【００７５】
その後、ステップＳＴ５０３において、Ｂｌｕｅｔｏｏｔｈの接続が正常か否かを判定する。起動時に接続が正常であることを確認できれば、ステップ５０４にて通常の読取動作を行う。確認できなければ、Ｂｌｕｅｔｏｏｔｈが未接続の際の動作の手順を実行する。通信エラー表示として、例えば、ハンディスキャナ１のインジケータＬＥＤ２１が点滅する。
【産業上の利用可能性】
【００７６】
本発明は、ハンディスキャナの使い勝手を向上させ、ハンディスキャナと無線通信する装置の設置自由度を高めることを可能にした光学読取システム及び携帯型光学読取装置並びに無線通信ユニットに関するものであり、産業上の利用性を有する。
【符号の説明】
【００７７】
１…ハンディスキャナ
２…把持部
３…ヘッド部
４…読取口
５…バッテリ
６…バッテリ蓋
７…バッテリ蓋ロック
１１…充電ユニット接続部
１２…電気接点
１３…係合部
２１…インジケータＬＥＤ；２１１…インジケータドライバ
２２…インジケータレンズ
２３…拡散板
２４…偏光素子；２４１…受光用偏光素子；２４２…投光用偏光素子；２４３…偏光素子用窓
２５…トリガースイッチ
２６…トリガーパッキン
２７…バイブレータ；２７１…モータドライバ
２８…反射板
２９…照明基板；２９１１〜２９１５…ＬＥＤ照明；２９２…ドライバ
３０…カメラカバー
３１…受光レンズ
３２…カメラフレーム
３３…メイン基板
３４…ＣＭＯＳイメージセンサ
３５…バッテリ充電コントローラ
３６…リフレクタ
３７…電源基板
４１…読取部
４２…バッテリ部
４３…フロントケース
４４…リアケース
４６…投光部
４７…受光部
４８…操作部
４９…通知部
５０…ファンクションスイッチ
５１…ブザー；５１１…ブザードライバ
５２…スイッチ
５３…バッテリ端子
５４…残量検知部
１０１…充電ユニット
１１１…読取装置接続部
１１２…電気接点
１１３…係合部
１３１…電源供給端子
１３２…ＤＣ／ＤＣコンバータ
１３３…スイッチ
１３４…スキャナ検知回路
４０１…光学読取システム
６０１…ＰＬＣ通信ユニット、７０１…ＵＳＢ通信ユニット
６１１，７１１…ＣＰＵ
６１２…ＲＯＭ
６１３…ＲＡＭ
６１５，７１５…スイッチ
６２４…出力端子
６２５，７２５…インジケータＬＥＤ
７１２…ＤＣ／ＤＣコンバータ
７２３…ＵＳＢコネクタ
ＩＬ…照明光
【図１】
2017091334.tif 000003
【図２】
2017091334.tif 000004
【図３】
2017091334.tif 000005
【図４】
2017091334.tif 000006
【図５】
2017091334.tif 000007
【図６】
2017091334.tif 000008
【図７】
2017091334.tif 000009
【図８】
2017091334.tif 000010
【図９】
2017091334.tif 000011
【図１０】
2017091334.tif 000012
【図１１】
2017091334.tif 000013
【図１２】
2017091334.tif 000014
【図１３】
2017091334.tif 000015
【図１４】
2017091334.tif 000016
【図１５】
2017091334.tif 000017
【図１６】
2017091334.tif 000018
【図１７】
2017091334.tif 000019
【図１８】
2017091334.tif 000020
【図１９】
2017091334.tif 000021
【図２０】
2017091334.tif 000022
【図２１】
2017091334.tif 000023
【図２２】
2017091334.tif 000024
【図２３】
2017091334.tif 000025
【図２４】
2017091334.tif 000026
【図２５】
2017091334.tif 000027